【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
約４００ｎｍから約７００ｎｍの波長領域のレーザービームを生成するためのレーザー共振器であって、
ａ．コアとクラッディングとを有し全ファイバーフィードバック機構を有する光ファイバーを備え、前記フィードバック機構は第１反射部材及び第２反射部材を備え、前記第１反射部材と前記第２反射部材は、前記光ファイバーの長さ方向に沿って配置されていて間に或る距離を画定しており；
ｂ．前記第２反射部材はファイバーブラッググレーティングであり、前記ファイバーブラッググレーティングは第１のラマン次数へのフィードバックを提供することができ、前記ファイバーブラッググレーティングは第２のラマン次数へのフィードバックを提供することができないようにされた、レーザー共振器。
【請求項２】
請求項１に記載のレーザー共振器において、前記ファイバーブラッググレーティングは、４００−７００ｎｍの波長領域で動作するフェムト秒パルスを使用して光ファイバー中に作られている、レーザー共振器。
【請求項３】
請求項１に記載のレーザー共振器において、前記コアはリンドープされたコアであり、前記ファイバーブラッググレーティングは前記コア中に配置されている、レーザー共振器。
【請求項４】
請求項１に記載のレーザー共振器において、前記コアは感光性ドーパントでドープされておらず、それにより前記コアは感光性ドーパント不含であり；当該レーザー共振器は、約５００ｎｍより下の波長のレーザービームを作り出すことができる、レーザー共振器。
【請求項５】
請求項１に記載のレーザー共振器において、前記ファイバーブラッググレーティングは、前記光ファイバー中に光波方向に対する垂直入射で刻まれていて；それにより前記光ファイバーの前記コア内にフィードバックを提供する、レーザー共振器。
【請求項６】
ラマン利得スペクトル内に特定の波長のフィードバックを提供するファイバーブラッググレーティング。
【請求項７】
約４００ｎｍから約７００ｎｍの波長領域のレーザービームを生成するためのレーザー共振器であって、
ａ．コアとクラッディングとを有し全ファイバーフィードバック機構を有する光ファイバーを備え、前記フィードバック機構は第１反射部材及び第２反射部材を備え；前記第１反射部材と前記第２反射部材は光ファイバーの長さ方向に沿って配置されていて間に或る距離を画定しており；
ｂ．前記第２反射部材はファイバーブラッググレーティングであり、前記ファイバーブラッググレーティングはラマン利得スペクトルの次数全体に亘るフィードバックを提供することができる、レーザー共振器。
【請求項８】
約４００ｎｍから約７００ｎｍの波長領域のレーザービームを生成するためのレーザー共振器であって、
ａ．コアとクラッディングとを有し全ファイバーフィードバック機構を有する光ファイバーを備え、前記フィードバック機構は第１反射部材及び第２反射部材を有し；前記第１反射部材と前記第２反射部材は前記光ファイバーの長さ方向に沿って配置されていて間に或る距離を画定しており；
ｂ．前記第２反射部材はファイバーブラッググレーティングであり、前記ファイバーブラッググレーティングは第２のラマン次数への損失を提供することができる、レーザー共振器。
【請求項９】
請求項８に記載のファイバーブラッググレーティングにおいて、前記ファイバーブラッググレーティングはファイバー結合型体積ブラッググレーティングである、ファイバーブラッググレーティング。
【請求項１０】
請求項２に記載のレーザー共振器において、前記ファイバーブラッググレーティングは、前記光ファイバー中に光波方向の法線に対して角度を付けて刻まれていて；それにより前記ファイバーブラッググレーティングは伝播モードを前記ファイバーの前記コアから外へ向け直すことができる、レーザー共振器。
【請求項１１】
請求項２に記載のレーザー共振器において、前記ファイバーブラッググレーティングは、前記光ファイバー中の光波方向の法線に対して湾曲した形状に刻まれていて；それにより前記ファイバーブラッググレーティングはｎモードのみを前記ファイバーの前記コアの中へと戻すように向け直すことができ、ここにｎは１から＜４まで変わり得る、レーザー共振器。
【請求項１２】
請求項６に記載のファイバーブラッググレーティングにおいて、前記ファイバーブラッググレーティングはｎのラマン次数に亘る損失を提供することができ、ここにｎは２から＞１０まで変わり得る、ファイバーブラッググレーティング。
【請求項１３】
約４００ｎｍから約７００ｎｍの波長領域のレーザービームを生成するためのレーザー共振器であって、
ａ．コア及びエンドキャップとクラッディングとを備え全ファイバーフィードバック機構を有する光ファイバーを備え、前記フィードバック機構は、前記ファイバー中に配置されている第１反射部材及び前記エンドキャップ中に配置されている第２反射部材を備え；前記第１反射部材と前記第２反射部材は前記光ファイバーの長さ方向に沿って配置されていて間に或る距離を画定しており、
ｂ．前記第２反射部材はブラッググレーティングであり、前記ブラッググレーティングは或るラマン次数へのフィードバックを提供することができる、光ファイバーを備えている、レーザー共振器。
【請求項１４】
請求項１３に記載のレーザー共振器において、前記ブラッググレーティングは第１のラマン次数へのフィードバックを提供することができる、レーザー共振器。
【請求項１５】
請求項１３に記載のレーザー共振器において、前記ブラッググレーティングは第２のラマン次数へのフィードバックを提供することができない、レーザー共振器。
【請求項１６】
請求項１４に記載のレーザー共振器において、前記ブラッググレーティングは第２のラマン次数へのフィードバックを提供することができない、レーザー共振器。
【請求項１７】
請求項１３に記載のレーザー共振器において、前記ブラッググレーティングは前記光学ファイバーのエンドキャップの中に光波方向に対する垂直入射で書き込まれていて、前記ブラッググレーティングは前記光ファイバーのＮＡに整合するように湾曲しており、それにより前記ブラッググレーティングは前記光ファイバーの前記コア内にフィードバックを提供する、レーザー共振器。
【請求項１８】
請求項１３に記載のレーザー共振器において、前記ブラッググレーティングはラマン利得スペクトル内の特定の波長のフィードバックを提供する、レーザー共振器。
【請求項１９】
請求項１３に記載のレーザー共振器において、前記ブラッググレーティングはラマン利得スペクトル全体に亘るフィードバックを提供する、レーザー共振器。
【請求項２０】
約４００ｎｍから約７００ｎｍの波長領域のレーザービームを生成するためのレーザー共振器であって、当該レーザー共振器は、
ａ．コアとクラッディングとを有し全ファイバーフィードバック機構を有する光ファイバーを備え、前記フィードバック機構は前記ファイバー中に配置されている第１反射部材及び前記光ファイバー中に配置されている第２反射部材を備え；前記第１反射部材と前記第２反射部材は前記光ファイバーの長さ方向に沿って配置されていて間に或る距離を画定しており；
ｂ．前記第２反射部材はナノ構造モスアイグレーティングである、レーザー共振器。
【請求項２１】
請求項２０に記載のレーザー共振器において、前記ナノ構造モスアイグレーティングは或るラマン次数へのフィードバックを提供することができる、レーザー共振器。
【請求項２２】
請求項２１に記載のレーザー共振器において、前記ナノ構造モスアイグレーティングは第１のラマン次数へのフィードバックを提供することができる、レーザー共振器。
【請求項２３】
請求項２１に記載のレーザー共振器において、前記ナノ構造モスアイグレーティングは第２のラマン次数へのフィードバックを提供することができない、レーザー共振器。
【請求項２４】
請求項２２に記載のレーザー共振器において、前記ナノ構造モスアイグレーティングは第２のラマン次数へのフィードバックを提供することができない、レーザー共振器。
【請求項２５】
請求項２０に記載のレーザー共振器において、前記ナノ構造モスアイグレーティングは、ｎのラマン次数に亘る損失を提供することができ、ここにｎは２から＞１０まで変わり得る、レーザー共振器。
【請求項２６】
８００ｎｍ未満の波長を有するレーザービームを提供するためのファイバーレーザーであって、
ａ．光ファイバーと、ポンプレーザー入力端と、レーザービーム出力端と、を有するレーザー共振器を備え、
ｂ．前記光ファイバーはコアとクラッディングとを有し、
ｃ．前記レーザービーム出力端は、前記コアの屈折率とは異なる屈折率を有するレーザー変質領域を有し、前記レーザー変質領域は、既定波長を有するレーザービームを透過させ既定範囲の波長を反射するためのブラッググレーティングを画定しており、前記既定範囲は前記透過したレーザービームの波長を含んでいない、前記レーザービーム出力端と、
を備えている、ファイバーレーザー。
【請求項２７】
請求項２６に記載のファイバーレーザーにおいて、前記レーザー共振器はモノリシックファイバーレーザー共振器である、ファイバーレーザー。
【請求項２８】
請求項２６に記載のファイバーレーザーにおいて、前記レーザービーム出力端は体積ブラッググレーティングである、ファイバーレーザー。
【請求項２９】
請求項２６に記載のファイバーレーザーにおいて、前記出力端はファイバーブラッググレーティングである、ファイバーレーザー。
【請求項３０】
請求項２６に記載のファイバーレーザーにおいて、前記透過したレーザービームの波長は約４００ｎｍから約６００ｎｍである、ファイバーレーザー。
【請求項３１】
ファイバーレーザー共振器を作る方法であって、光ファイバーを提供する段階と；前記光ファイバーの或る区域を屈折率改変手段で処理し、それにより変更された屈折率を有するレーザー変質領域を前記光ファイバー中に形成し：それによりファイバーブラッググレーティングを画定する段階であって；前記ファイバーブラッググレーティングは約４００ｎｍから約７００ｎｍの範囲の波長を透過させるように波長選択的である、段階と、を備えている方法。
【請求項３２】
請求項３１に記載の方法において、前記屈折率改変手段は化学剤である、方法。
【請求項３３】
請求項３１に記載の方法において、前記屈折率改変手段は熱処理である、方法。
【請求項３４】
請求項３１に記載の方法において、前記屈折率改変手段は電磁放射ビームである、方法。
【請求項３５】
請求項３４に記載の方法において、前記電磁放射ビームはエキシマレーザービームであり、前記ファイバーブラッググレーティングはエキシマレーザーによって提供される深部ＵＶ放射によって誘導された、方法。
【請求項３６】
請求項３４に記載の方法において、前記電磁放射ビームはＸ線ビームであり、前記ファイバーブラッググレーティングは前記光ファイバーのＸ線への暴露によって誘導された、方法。
【請求項３７】
約４００ｎｍから約７００ｎｍの波長領域のレーザービームを生成するためのレーザー共振器であって、
ａ．コア及びエンドキャップとクラッディングとを有し一体型のフィードバック機構を有する光ファイバーを備え、前記フィードバック機構は前記ファイバー中に配置されている第１反射部材及び前記エンドキャップの表面に配置されている第２反射部材を備え；前記第１反射部材は前記光ファイバーの長さ方向に沿って配置されていて、前記第１及び第２反射部材の間に或る距離を画定しており；
ｂ．前記第２反射部材は誘電体被覆であり、前記誘電体被覆は第１のラマン次数へのフィードバックを提供することができ、
ｃ．前記第２反射部材は誘電体被覆であり、前記誘電体被覆はｎ＝２のラマン次数へのフィードバックを提供しない、レーザー共振器。
【請求項３８】
約４００ｎｍから約７００ｎｍの波長領域のレーザービームを生成するためのレーザー共振器であって、
ａ．コア及びエンドキャップとクラッディングとを有し一体型のフィードバック機構を有する光ファイバーを備え、前記フィードバック機構は前記エンドキャップの面に配置されている第１反射部材及び前記ファイバー中に配置されている第２反射部材を備え；前記第２反射部材は前記光ファイバーの長さ方向に沿って配置されていて前記第１及び第２反射部材の間に或る距離を画定しており；
ｂ．前記第２反射部材はブラッググレーティングであり、前記ブラッググレーティングは第１のラマン次数へのフィードバックを提供することができる、レーザー共振器。
【請求項３９】
約４００ｎｍから約７００ｎｍの波長領域のレーザービームを生成するためのレーザー共振器であって、
ａ．コア及びエンドキャップとクラッディングとを有し一体型のフィードバック機構を有する光ファイバーを備え、前記フィードバック機構は一方のエンドキャップの面に配置されている第１反射部材及び他方のエンドキャップの面に配置されている第２反射部材を備え；前記第１反射部材と前記第２反射部材は前記光ファイバーの長さ方向に沿って配置されていて間に或る距離を画定しており；
ｂ．第２反射部材は狭帯域誘電体被覆であり、前記誘電体被覆は第１のラマン次数へのフィードバックを提供することができる、レーザー共振器。